(57)【特許請求の範囲】
【請求項１】
単一の連続光源とキャリア抑圧手段と２値ＮＲＺ符号またはパーシャルレスポンス符号を用いて生成されたキャリア抑圧ＲＺ符号化光信号、あるいは単一の連続光源とキャリア抑圧手段とクロック信号を用いて生成されたキャリア抑圧クロック信号を光伝送路に送信し、
前記光伝送路を伝送された前記キャリア抑圧ＲＺ符号化光信号またはキャリア抑圧クロック信号の２つの帯域をそれぞれ帯域分割して受信し、その各帯域における２値ＮＲＺ符号成分またはパーシャルレスポンス符号成分またはクロック信号からそれぞれベースバンドの位相情報を抽出してその相対位相差を検出し、その相対位相差から前記光伝送路の波長分散値を算出する
ことを特徴とする高精度波長分散測定方法。
【請求項２】
単一の連続光源とキャリア抑圧手段と２値ＮＲＺ符号またはパーシャルレスポンス符号を用いて生成されたキャリア抑圧ＲＺ符号化光信号、あるいは単一の連続光源とキャリア抑圧手段とクロック信号を用いて生成されたキャリア抑圧クロック信号を光伝送路に送信し、
前記光伝送路を伝送された前記キャリア抑圧ＲＺ符号化光信号またはキャリア抑圧クロック信号の２つの帯域の両方と一方をそれぞれ帯域分割して受信し、その各帯域における２値ＲＺまたはＮＲＺ符号成分またはパーシャルレスポンス符号成分またはクロック信号からそれぞれベースバンドの位相情報を抽出してその相対位相差を検出し、その相対位相差から前記光伝送路の波長分散値を算出する
ことを特徴とする高精度波長分散測定方法。
【請求項３】
単一の連続光源とキャリア抑圧手段と２値ＮＲＺ符号またはパーシャルレスポンス符号を用いて生成されたキャリア抑圧ＲＺ符号化光信号、あるいは単一の連続光源とキャリア抑圧手段とクロック信号を用いて生成されたキャリア抑圧クロック信号を光伝送路に送信し、
前記光伝送路を伝送された前記キャリア抑圧ＲＺ符号化光信号またはキャリア抑圧クロック信号の２つの帯域の一方を受信し、その帯域における２値ＮＲＺ符号成分またはパーシャルレスポンス符号成分またはクロック信号のベースバンドの位相情報を抽出し、予め基準分散値において測定された位相状態との相対位相差を検出し、その相対位相差から前記光伝送路の波長分散値を算出する
ことを特徴とする高精度波長分散測定方法。
【請求項４】
単一の連続光源とキャリア抑圧手段と２値ＮＲＺ符号またはパーシャルレスポンス符号を用いて生成されたキャリア抑圧ＲＺ符号化光信号、あるいは単一の連続光源とキャリア抑圧手段とクロック信号を用いて生成されたキャリア抑圧クロック信号を光伝送路に送信し、
前記光伝送路を伝送された前記キャリア抑圧ＲＺ符号化光信号またはキャリア抑圧クロック信号の２つの帯域の両方と一方を分割帯域を切り替えて順次受信し、その各帯域における２値ＲＺまたはＮＲＺ符号成分またはパーシャルレスポンス符号成分またはクロック信号からそれぞれベースバンドの位相情報を抽出してその相対位相差を検出し、その相対位相差から前記光伝送路の波長分散値を算出する
ことを特徴とする高精度波長分散測定方法。
【請求項５】
単一の連続光源より生成されたＮＲＺ、ＲＺ符号化光信号または光クロック信号を光伝送路に送信し、
前記光伝送路に伝送された前記ＮＲＺ、ＲＺ符号化光信号または光クロック信号の２つのＶＳＢ帯域をそれぞれ帯域分割して受信し、各帯域におけるＮＲＺ成分またはクロック成分からそれぞれベースバンドの位相情報を抽出してその相対位相差を検出し、その相対位相差から前記光伝送路の波長分散値を算出する
ことを特徴とする高精度波長分散測定方法。
【請求項６】
単一の連続光源より生成されたＮＲＺ、ＲＺ符号化光信号または光クロック信号を光伝送路に送信し、
前記光伝送路に伝送された前記ＮＲＺ、ＲＺ符号化光信号または光クロック信号の２つのＶＳＢ帯域の両方と一方をそれぞれ帯域分割して受信し、各帯域におけるＮＲＺ成分またはクロック成分からそれぞれベースバンドの位相情報を抽出してその相対位相差を検出し、その相対位相差から前記光伝送路の波長分散値を算出する
ことを特徴とする高精度波長分散測定方法。
【請求項７】
単一の連続光源より生成されたＮＲＺ、ＲＺ符号化光信号または光クロック信号を光伝送路に送信し、
前記光伝送路に伝送された前記ＮＲＺ、ＲＺ符号化光信号または光クロック信号の２つのＶＳＢ帯域の一方を受信し、その帯域におけるＮＲＺ成分またはクロック成分からそれぞれベースバンドの位相情報を抽出し、予め基準分散値において測定された位相状態との相対位相差を検出し、その相対位相差から前記光伝送路の波長分散値を算出する
ことを特徴とする高精度波長分散測定方法。
【請求項８】
単一の連続光源より生成されたＮＲＺ、ＲＺ符号化光信号または光クロック信号を光伝送路に送信し、
前記光伝送路に伝送された前記ＮＲＺ、ＲＺ符号化光信号または光クロック信号の２つのＶＳＢ帯域の両方と一方を分割帯域を切り替えて順次受信し、その各帯域におけるＮＲＺ成分またはクロック成分からそれぞれベースバンドの位相情報を抽出してその相対位相差を検出し、その相対位相差から前記光伝送路の波長分散値を算出する
ことを特徴とする高精度波長分散測定方法。
【請求項９】
請求項１〜請求項８に記載の高精度波長分散測定方法において、
連続光を２値ＮＲＺ符号またはパーシャルレスポンス符号またはクロック信号で変調し、さらにその変調信号のビットレートのｍ／２倍（ｍは正の整数）の周波数を有するクロック信号を用いた変調により交番した位相差を加えてＲＺ符号化し、前記キャリア抑圧ＲＺ符号化光信号またはキャリア抑圧クロック信号を生成する
ことを特徴とする高精度波長分散測定方法。
【請求項１０】
請求項１〜請求項８に記載の高精度波長分散測定方法において、
連続光を変調信号のビットレートのｍ／２倍（ｍは正の整数）の周波数を有するクロック信号で変調してキャリア抑圧クロック信号を生成し、このキャリア抑圧クロック信号を前記変調信号として２値ＮＲＺ符号またはパーシャルレスポンス符号またはクロック信号で変調し、前記キャリア抑圧ＲＺ符号化光信号またはキャリア抑圧クロック信号を生成する
ことを特徴とする高精度波長分散測定方法。
【請求項１１】
請求項９または請求項１０に記載の高精度波長分散測定方法において、
前記連続光または前記変調信号にトーン信号を重畳し、
前記受信側では、前記キャリア抑圧ＲＺ符号化光信号またはキャリア抑圧クロック信号の２つの帯域をそれぞれ帯域分割して受信し、その各帯域におけるトーン信号を分離して相対位相差を検出し、その相対位相差から前記光伝送路の波長分散値を算出する
ことを特徴とする高精度波長分散測定方法。
【請求項１２】
請求項９または請求項１０に記載の高精度波長分散測定方法において、
前記連続光または前記変調信号にトーン信号を重畳し、
前記受信側では、前記キャリア抑圧ＲＺ符号化光信号またはキャリア抑圧クロック信号の２つの帯域の両方と一方をそれぞれ帯域分割して受信し、その各帯域におけるトーン信号を分離して相対位相差を検出し、その相対位相差から前記光伝送路の波長分散値を算出する
ことを特徴とする高精度波長分散測定方法。
【請求項１３】
請求項９または請求項１０に記載の高精度波長分散測定方法において、
前記連続光または前記変調信号にトーン信号を重畳し、
前記受信側では、前記キャリア抑圧ＲＺ符号化光信号またはキャリア抑圧クロック信号の２つの帯域の一方を受信し、その帯域におけるトーン信号を分離して位相情報を抽出し、予め基準分散値において測定された位相状態との相対位相差を検出し、その相対位相差から前記光伝送路の波長分散値を算出する
ことを特徴とする高精度波長分散測定方法。
【請求項１４】
請求項９または請求項１０に記載の高精度波長分散測定方法において、
前記連続光または前記変調信号にトーン信号を重畳し、
前記受信側では、前記キャリア抑圧ＲＺ符号化光信号またはキャリア抑圧クロック信号の２つの帯域の両方と一方を分割帯域を切り替えて順次受信し、その各帯域におけるトーン信号を分離して相対位相差を検出し、その相対位相差から前記光伝送路の波長分散値を算出する
ことを特徴とする高精度波長分散測定方法。
【請求項１５】
請求項１１に記載の高精度波長分散測定方法において、
前記トーン信号は、前記光伝送路にラマン利得を生じさせることにより前記連続光または前記変調信号に対して重畳されることを特徴とする高精度波長分散測定方法。
【請求項１６】
光伝送路を介して接続される波長多重光送信装置および波長多重光受信装置の少なくとも一つの波長チャネルに、請求項１から１５のいずれかに記載の高精度波長分散測定方法によって前記光伝送路の波長分散値を算出する手段を備えた
ことを特徴とする自動分散補償型光リンクシステム。
【請求項１７】
光伝送路を介して接続される光送信装置および光受信装置に、請求項１から１５のいずれかに記載の高精度波長分散測定方法によって前記光伝送路の波長分散値を算出する手段を備え、
前記光送信装置または前記光伝送路または前記光受信装置のいずれかに、前記波長分散値を算出する手段によって算出された前記光伝送路の波長分散値に基づいて分散補償を行う分散補償手段を備えた
ことを特徴とする自動分散補償型光リンクシステム。
【請求項１８】
光伝送路を介して接続される波長多重光送信装置および波長多重光受信装置の少なくとも一つの波長チャネルに、請求項１から１５のいずれかに記載の高精度波長分散測定方法によって前記光伝送路の波長分散値を算出する手段を備え、
前記波長チャネルの前記波長多重光送信装置または前記波長多重光受信装置のいずれかに、前記波長分散値を算出する手段によって算出された前記光伝送路の波長分散値に基づいて分散補償を行う分散補償手段を備えた
ことを特徴とする自動分散補償型光リンクシステム。
【請求項１９】
請求項１６から１８のいずれかに記載の自動分散補償型光リンクシステムにおいて、
前記波長分散値を算出する手段は、
複数の波長チャネルに対して適用するよう切り替えることができる光スイッチを備え、前記波長分散値を算出する手段を複数の波長チャネルの間で共用する
ことを特徴とする自動分散補償型光リンクシステム。
【請求項２０】
請求項１６から１８のいずれかに記載の自動分散補償型光リンクシステムにおいて、
前記波長分散値を算出する手段は、
複数の波長チャネルに対して適用するよう切り替えることができる光スイッチを備え、
前記波長チャネルの前記波長多重光送信装置または前記波長多重光受信装置のいずれかに、前記波長分散値を算出する手段によって算出された前記光伝送路の波長分散値に基づいて分散補償を行う分散補償手段を備えた
ことを特徴とする自動分散補償型光リンクシステム。
【請求項２１】
キャリア抑圧クロック生成手段と２値ＮＲＺ符号またはパーシャルレスポンス符号化手段により生成されたキャリア抑圧ＲＺ符号化光信号生成する光送信装置とその信号を受信する受信部とこの受信部と前記送信部との間に介挿された光伝送路とを備えた自動分散補償型光リンクシステムであって、
前記受信部は、
波長分散量を変化させて波長分散補償を行う波長分散補償手段と、
前記キャリア抑圧ＲＺ符号化光信号の２つの帯域をそれぞれ分割する帯域分割手段と、
分割されたそれぞれの帯域の光信号を光電気変換する光電変換手段と、
前記光電変換手段から出力されたベースバンド信号から任意の中心周波数を有するバンドを抽出するバンド抽出手段と、
それぞれの帯域の光信号から抽出された同一の中心ベースバンド周波数を有するバンドの位相情報を抽出し比較する位相比較手段と
からなることを特徴とする自動分散補償型光リンクシステム。
【請求項２２】
キャリア抑圧クロック生成手段と２値ＮＲＺ符号またはパーシャルレスポンス符号化手段により生成されたキャリア抑圧ＲＺ符号化光信号生成する光送信装置とその信号を受信する受信部とこの受信部と前記送信部との間に介挿された光伝送路とを備えた自動分散補償型光リンクシステムであって、
前記受信部は、
波長分散量を変化させて波長分散補償を行う波長分散補償手段と、
前記キャリア抑圧ＲＺ符号化光信号の２つの帯域をそれぞれ分割する帯域分割手段と、
分割されたそれぞれの帯域から任意の中心波長を有する光帯域を抽出する光帯域抽出手段と、
それぞれの帯域から抽出された光帯域を光電気変換する光電変換手段と、
光電変換手段から出力されたベースバンド信号から位相情報を抽出し比較する位相比較手段と
からなることを特徴とする自動分散補償型光リンクシステム。
【請求項２３】
請求項２１または２２に記載の自動分散補償型光リンクシステムにおいて、
偏波分散補償を行う偏波分散補償手段とそれぞれの分割された帯域から抽出された光帯域もしくはバンドの少なくとも一方についてその強度を測定する強度測定手段とをさらに備えた
ことを特徴とする自動分散補償型光リンクシステム。
【請求項２４】
光伝送路からディジタル光信号を受信する光受信装置であって、
受信した前記ディジタル光信号の光スペクトル成分のうち少なくとも２つの異なる周波数成分を分離して抽出する手段と、
前記抽出した成分間の相対的位相差を検出する位相比較手段と、
前記位相比較手段から得られた相対位相差情報をもとに前記ディジタル光信号が前記光伝送路中で被った波長分散量を算出する波長分散測定手段と、
前記波長分散測定手段の測定結果に基づき前記光伝送路の波長分散を補償する分散補償手段と
を備えたことを特徴とする光受信装置。
【請求項２５】
請求項２４に記載の光受信装置において、
偏波モード分散補償手段を有し、分割された帯域から抽出された光帯域もしくはベースバンド成分の少なくとも一方についてその強度を測定する強度測定手段をさらに備えたことを特徴とする光受信装置。
【発明の詳細な説明】
【０００１】
【発明の属する技術分野】
本発明は、光ファイバ等の波長分散をもつ光伝送路を用いた光リンクシステムにおいて、その光伝送路の波長分散値を高精度に測定し、その補償量を算出する高精度波長分散測定方法に関する。
【０００２】
さらに、この方法によって算出された補償量に基づいて分散補償器を制御することにより、光伝送路の波長分散さらには偏波モード分散を自動的に補償する自動分散補償型光リンクシステムに関する。
【０００３】
【従来の技術】
高速チャネルを用いた光リンクシステムでは、光伝送路を構成する光ファイバ等がもつ波長分散、あるいは分散スロープ等の高次分散により波形劣化が生じ、それに起因する伝送品質の劣化が問題となっている。これは、光ファイバの波長分散やその高次分散等が、光信号の帯域幅に作用することによりその光パルス波形が崩れ、隣接する光パルスからの干渉を受けることにより発生する。また、光ファイバ等の波長分散は環境温度によっても変動するので、伝送品質の安定性に影響が出る。さらに、ある伝送区間に断線等の故障が発生したときに、ルート切り替えによる波長分散の変化によっても同様の問題が発生する。
【０００４】
これらの問題を解決するために、種々の波長分散測定方法および分散補償技術と組み合わせた自動分散補償型光リンクシステムが提案されている。その一つに、受信した光信号から抽出した光クロック信号の強度をモニタし、それが最小または最大になるように波長分散値を制御するものがある。
【０００５】
図２８は、光時分割多重（ＯＴＤＭ）により生成した40Ｇbit/s ＲＺ信号と、通常のデューティー比50％のＲＺ信号における光クロック信号強度と波長分散値の関係を示す（参考文献：G.Ishikawa and H.Ooi,"Demonstration of automatic dispersion equalization in 40Gbit/s OTDM transmission", Technical Digest of European Conference on Optical Communication, pp.519-520, 1998)。
【０００６】
図２８(a) に示すＯＴＤＭにより生成した40Ｇbit/s ＲＺ信号における光クロック信号強度には、アイ開口が最大となるポイントで極小値をとる特徴があるので、光クロック信号強度が極小値をとるように波長分散値を制御する。一方、図２８(b) に示すデューティー比50％のＲＺ信号の場合には、光クロック信号強度が最大値を示すように波長分散値を制御する。
【０００７】
【発明が解決しようとする課題】
上記のような従来方法は、光クロック信号強度とアイ開口の単純な相関を仮定し、光クロック信号強度がＯＴＤＭ信号では極小値、ＲＺ信号では最大になるときに光信号が受ける波長分散量が０になり、アイ開口が最大になる特徴を利用している。
【０００８】
しかし、これは光ファイバへの入射光パワーが十分に小さく、非線形光学効果による位相変調が無視できる領域において成り立つものである。一方、実際の伝送システムでは、このような領域に限って伝送されることはほとんどなく、自己位相変調効果や波長多重では相互位相変調や四光波混合等の非線形光学効果の影響が無視できない。すなわち、光ファイバ等の伝送媒体では、それ自体がもつ光非線形性により自己位相変調が起こり、これと波長分散との相互作用により、必ずしも零分散が最適分散値になるとは限らない。そのような領域では、クロック信号強度の極小（最大）およびアイ開口が最大になるポイントと波長分散が零になるポイントの一致は保証されない。すなわち、従来技術では十分な波長分散補償による伝送品質劣化の抑圧を達成することが困難であった。
【０００９】
また、ＯＴＤＭ信号とＲＺ信号では、上記のように光クロック信号強度が極小値と最大値でそれぞれ最適分散値となるので、符号形式に応じて制御の方法が大きく異なることになる。さらに、ＯＴＤＭ信号は、アイ開口が最大となるポイントで光クロック信号強度が極小値をとるものの、その近傍には２つの極大点が存在する。このため、これを自動的に極小値に制御することは非常に困難になっている。さらに、そのダイナミックレンジは、最大で0.8 、最小で0.4 とわずか３ｄＢしかない。したがって、ＳＮ比の観点からも安定した制御が困難になっている。
【００１０】
さらに、従来技術では波長分散に応じた光クロック信号強度をモニタする際に、波長分散が正にずれても負にずれても同様に光クロック信号強度が変化し、波長分散値のズレの方向が不明である。したがって、その方向を判別するには、故意に波長分散値をずらしてアイ開口劣化を発生させる必要がある。すなわち、アイ開口劣化による伝送品質の劣化が避けられないので、インサービスでの実施は困難である。
【００１１】
本発明は、インサービス状態で主信号に瞬断等の影響を与えることなく、光伝送路の波長分散値を高精度に測定し、それを補償するための波長分散補償量を算出することができる高精度波長分散測定方法を提供することを目的とする。
【００１２】
さらに本発明は、この高精度波長分散測定方法と分散補償器を組み合わせ、算出された波長分散補償量に基づいて分散補償器を制御することにより光伝送路の波長分散やそのゆらぎを自動的に補償し、光リンクシステムの安定性および信頼性を向上を図ることができる自動分散補償型光リンクシステムを提供することを目的とする。
【００１３】
【課題を解決するための手段】
請求項１に記載の高精度波長分散測定方法は、単一の連続光源とキャリア抑圧手段と２値ＮＲＺ符号またはパーシャルレスポンス符号を用いて生成されたキャリア抑圧ＲＺ符号化光信号、あるいは単一の連続光源とキャリア抑圧手段とクロック信号を用いて生成されたキャリア抑圧クロック信号を光伝送路に送信し、光伝送路を伝送されたキャリア抑圧ＲＺ符号化光信号またはキャリア抑圧クロック信号の２つの帯域をそれぞれ帯域分割して受信し、その各帯域における２値ＮＲＺ符号成分またはパーシャルレスポンス符号成分またはクロック信号からそれぞれベースバンドの位相情報を抽出してその相対位相差を検出し、その相対位相差から光伝送路の波長分散値を算出する。
【００１４】
請求項２に記載の高精度波長分散測定方法は、光伝送路を伝送されたキャリア抑圧ＲＺ符号化光信号またはキャリア抑圧クロック信号の２つの帯域の両方と一方をそれぞれ帯域分割して受信し、その各帯域における２値ＲＺまたはＮＲＺ符号成分またはパーシャルレスポンス符号成分またはクロック信号からそれぞれベースバンドの位相情報を抽出してその相対位相差を検出し、その相対位相差から光伝送路の波長分散値を算出する。
【００１５】
請求項３に記載の高精度波長分散測定方法は、光伝送路を伝送されたキャリア抑圧ＲＺ符号化光信号またはキャリア抑圧クロック信号の２つの帯域の一方を受信し、その帯域における２値ＮＲＺ符号成分またはパーシャルレスポンス符号成分またはクロック信号のベースバンドの位相情報を抽出し、予め基準分散値において測定された位相状態との相対位相差を検出し、その相対位相差から光伝送路の波長分散値を算出する。
【００１６】
請求項４に記載の高精度波長分散測定方法は、光伝送路を伝送されたキャリア抑圧ＲＺ符号化光信号またはキャリア抑圧クロック信号の２つの帯域の両方と一方を分割帯域を切り替えて順次受信し、その各帯域における２値ＲＺまたはＮＲＺ符号成分またはパーシャルレスポンス符号成分またはクロック信号からそれぞれベースバンドの位相情報を抽出してその相対位相差を検出し、その相対位相差から光伝送路の波長分散値を算出する。
【００１７】
請求項５に記載の高精度波長分散測定方法は、単一の連続光源より生成されたＮＲＺ、ＲＺ符号化光信号または光クロック信号を光伝送路に送信し、前記光伝送路に伝送された前記ＮＲＺ、ＲＺ符号化光信号または光クロック信号の２つのVestigial side Band（ＶＳＢ）帯域をそれぞれ帯域分割して受信し、各帯域におけるＮＲＺ成分またはクロック成分からそれぞれベースバンドの位相情報を抽出してその相対位相差を検出し、その相対位相差から前記光伝送路の波長分散値を算出する。
【００１８】
請求項６に記載の高精度波長分散測定方法は、単一の連続光源より生成されたＮＲＺ、ＲＺ符号化光信号または光クロック信号を光伝送路に送信し、前記光伝送路に伝送された前記ＮＲＺ、ＲＺ符号化光信号または光クロック信号の２つのＶＳＢ帯域の両方と一方をそれぞれ帯域分割して受信し、各帯域におけるＮＲＺ成分またはクロック成分からそれぞれベースバンドの位相情報を抽出してその相対位相差を検出し、その相対位相差から前記光伝送路の波長分散値を算出する。
【００１９】
請求項７に記載の高精度波長分散測定方法は、単一の連続光源より生成されたＮＲＺ、ＲＺ符号化光信号または光クロック信号を光伝送路に送信し、前記光伝送路に伝送された前記ＮＲＺ、ＲＺ符号化光信号または光クロック信号の２つのＶＳＢ帯域の一方を受信し、その帯域におけるＮＲＺ成分またはクロック成分からそれぞれベースバンドの位相情報を抽出し、予め基準分散値において測定された位相状態との相対位相差を検出し、その相対位相差から前記光伝送路の波長分散値を算出する。
【００２０】
請求項８に記載の高精度波長分散測定方法は、単一の連続光源より生成されたＮＲＺ、ＲＺ符号化光信号または光クロック信号を光伝送路に送信し、前記光伝送路に伝送された前記ＮＲＺ、ＲＺ符号化光信号または光クロック信号の２つのＶＳＢ帯域の両方と一方を分割帯域を切り替えて順次受信し、その各帯域におけるＮＲＺ成分またはクロック成分からそれぞれベースバンドの位相情報を抽出してその相対位相差を検出し、その相対位相差から前記光伝送路の波長分散値を算出する。
【００２１】
また、キャリア抑圧ＲＺ符号化光信号またはキャリア抑圧クロック信号の生成は、連続光を２値ＮＲＺ符号またはパーシャルレスポンス符号またはクロック信号で変調し、さらにその変調信号のビットレートのｍ／２倍（ｍは正の整数）の周波数を有するクロック信号を用いた変調により交番した位相差を加えてＲＺ符号化する（請求項９）。
【００２２】
また、キャリア抑圧ＲＺ符号化光信号またはキャリア抑圧クロック信号の生成は、連続光を変調信号のビットレートのｍ／２倍（ｍは正の整数）の周波数を有するクロック信号で変調してキャリア抑圧クロック信号を生成し、このキャリア抑圧クロック信号を変調信号として２値ＮＲＺ符号またはパーシャルレスポンス符号またはクロック信号で変調する（請求項１０）。
【００２３】
請求項１１に記載の高精度波長分散測定方法は、連続光または変調信号にトーン信号を重畳し、受信側では、キャリア抑圧ＲＺ符号化光信号またはキャリア抑圧クロック信号の２つの帯域をそれぞれ帯域分割して受信し、その各帯域におけるトーン信号を分離して相対位相差を検出し、その相対位相差から光伝送路の波長分散値を算出する。
【００２４】
請求項１２に記載の高精度波長分散測定方法は、連続光または変調信号にトーン信号を重畳し、受信側では、キャリア抑圧ＲＺ符号化光信号またはキャリア抑圧クロック信号の２つの帯域の両方と一方をそれぞれ帯域分割して受信し、その各帯域におけるトーン信号を分離して相対位相差を検出し、その相対位相差から光伝送路の波長分散値を算出する。
【００２５】
請求項１３に記載の高精度波長分散測定方法は、連続光または変調信号にトーン信号を重畳し、受信側では、キャリア抑圧ＲＺ符号化光信号またはキャリア抑圧クロック信号の２つの帯域の一方を受信し、その帯域におけるトーン信号を分離して位相情報を抽出し、予め基準分散値において測定された位相状態との相対位相差を検出し、その相対位相差から光伝送路の波長分散値を算出する。
【００２６】
請求項１４に記載の高精度波長分散測定方法は、連続光または変調信号にトーン信号を重畳し、受信側では、キャリア抑圧ＲＺ符号化光信号またはキャリア抑圧クロック信号の２つの帯域の両方と一方を分割帯域を切り替えて順次受信し、その各帯域におけるトーン信号を分離して相対位相差を検出し、その相対位相差から光伝送路の波長分散値を算出する。
【００２７】
請求項１５に記載の高精度波長分散測定方法は、前記トーン信号が、前記光伝送路にラマン利得を生じさせることにより前記連続光または前記変調信号に対して重畳される。
【００２８】
請求項１６に記載の自動分散補償型光リンクシステムは、光伝送路を介して接続される波長多重光送信装置および波長多重光受信装置の少なくとも一つの波長チャネルに、請求項１から１５のいずれかに記載の高精度波長分散測定方法によって前記光伝送路の波長分散値を算出する手段を備える。
【００２９】
請求項１７に記載の自動分散補償型光リンクシステムは、光伝送路を介して接続される光送信装置および光受信装置に、請求項１から１５のいずれかに記載の高精度波長分散測定方法によって光伝送路の波長分散値を算出する手段を備え、光送信装置または光伝送路または光受信装置のいずれかに、この手段によって算出された光伝送路の波長分散値に基づいて分散補償を行う分散補償手段を備える。
【００３０】
請求項１８に記載の自動分散補償型光リンクシステムは、光伝送路を介して接続される波長多重光送信装置および波長多重光受信装置の少なくとも一つの波長チャネルに、請求項１から１５のいずれかに記載の高精度波長分散測定方法によって前記光伝送路の波長分散値を算出する手段を備え、前記波長チャネルの前記波長多重光送信装置または前記波長多重光受信装置のいずれかに、前記波長分散値を算出する手段によって算出された前記光伝送路の波長分散値に基づいて分散補償を行う分散補償手段を備える。
【００３１】
請求項１９に記載の自動分散補償型光リンクシステムは、前記波長分散値を算出する手段が、複数の波長チャネルに対して適用するよう切り替えることができる光スイッチを備え、前記波長分散値を算出する手段を複数の波長チャネルの間で共用する。
【００３２】
請求項２０に記載の自動分散補償型光リンクシステムは、前記波長分散値を算出する手段が、複数の波長チャネルに対して適用するよう切り替えることができる光スイッチを備え、前記波長チャネルの前記波長多重光送信装置または前記波長多重光受信装置のいずれかに、前記波長分散値を算出する手段によって算出された前記光伝送路の波長分散値に基づいて分散補償を行う分散補償手段を備える。
【００３３】
請求項２１に記載の自動分散補償型光リンクシステムは、キャリア抑圧クロック生成手段と２値ＮＲＺ符号またはパーシャルレスポンス符号化手段により生成されたキャリア抑圧ＲＺ符号化光信号を生成する光送信装置とその信号を受信する受信部とこの受信部と前記送信部との間に介挿された光伝送路とを備え前記受信部は、波長分散量を変化させて波長分散補償を行う波長分散補償手段と、前記キャリア抑圧ＲＺ符号化光信号の２つの帯域をそれぞれ分割する帯域分割手段と、分割されたそれぞれの帯域の光信号を光電気変換する光電変換手段と、前記光電変換手段から出力されたベースバンド信号から任意の中心周波数を有するベースバンド成分を抽出するバンド抽出手段と、それぞれの帯域の光信号から抽出された同一の中心周波数を有するベースバンド成分の位相情報を抽出し比較する位相比較手段とからなる。
【００３４】
請求項２２に記載の自動分散補償型光リンクシステムは、キャリア抑圧クロック生成手段と２値ＮＲＺ符号またはパーシャルレスポンス符号化手段により生成されたキャリア抑圧ＲＺ符号化光信号生成する光送信装置とその信号を受信する受信部とこの受信部と前記送信部との間に介挿された光伝送路とを備え、前記受信部は、波長分散量を変化させて波長分散補償を行う波長分散補償手段と、前記キャリア抑圧ＲＺ符号化光信号の２つの帯域をそれぞれ分割する帯域分割手段と、分割されたそれぞれの帯域から任意の光周波数差を有する光帯域を抽出する光帯域抽出手段と、それぞれの帯域から抽出された光帯域を光電気変換する光電変換手段と、光電変換手段から出力されたベースバンド信号から位相情報を抽出し比較する位相比較手段とからなる。
【００３５】
請求項２３に記載の自動分散補償型光リンクシステムは、偏波分散補償を行う偏波分散補償手段とそれぞれの分割された帯域から抽出された光帯域もしくはベースバンド成分の少なくとも一方についてその強度を測定する強度測定手段とをさらに備える。
【００３６】
請求項２４に記載の光受信装置は、光伝送路からディジタル光信号を受信する装置であって、受信した前記ディジタル光信号の光スペクトル成分のうち少なくとも２つの異なる周波数成分を分離して抽出する手段と、前記抽出した成分間の相対的位相差を検出する位相比較手段と、前記位相比較手段から得られた相対位相差情報をもとに前記ディジタル光信号が前記光伝送路中で被った波長分散量を算出する波長分散測定手段と、前記波長分散測定手段の測定結果に基づき前記光伝送路の波長分散を補償する分散補償手段とを備える。
【００３７】
請求項２５に記載の光受信装置は、偏波モード分散補償手段を有し、分割された帯域から抽出された光帯域もしくはベースバンド成分の少なくとも一方についてその強度を測定する強度測定手段をさらに備える。
【００３８】
【発明の実施の形態】
図１は、本発明の自動分散補償型光リンクシステムの基本構成を示す。
図において、本実施形態の自動分散補償型光リンクシステムは、キャリア抑圧手段と２値ＮＲＺ符号またはパーシャルレスポンス符号を用いて生成されたキャリア抑圧ＲＺ符号化光信号、あるいはキャリア抑圧手段とクロック信号を用いて生成されたキャリア抑圧クロック信号を送信する光送信装置１と、光伝送路３を介して伝送されたキャリア抑圧ＲＺ符号化光信号またはキャリア抑圧クロック信号を帯域分割して受信し、２値ＮＲＺ信号またはパーシャルレスポンス信号成分またはクロック信号を取り出し、その位相情報から算出される波長分散値に基づいて分散補償を行う光受信装置２により構成される。
【００３９】
なお、光伝送路３には、送信端、受信端、あるいはその中間に、光受信装置３で十分なＳＮ比を確保するための十分な光パワーが得られるように光増幅器を配置してもよい。
【００４０】
以下の説明では、パーシャルレスポンス符号としてデュオバイナリ信号から生成されたキャリア抑圧ＲＺ符号化光信号（以下「ＤＣＳ−ＲＺ光信号」という）を送信し、受信側でＤＣＳ−ＲＺ光信号を帯域分割して受信し、そのベースバンドにおける相対位相差を検出する例を基本に説明するが、２値ＮＲＺ符号、多値のパーシャルレスポンス符号、あるいはクロック信号を用いる場合も同様である。ＤＣＳ−ＲＺ光信号については、文献（Miyamoto.Y. et al.,"Duobinary carrier-suppressed return-to-zero format and its application to 100GHz-spaced 8x43-Gbit/s DWDM unrepeatered transmission over 163km", Optical Fiber Communication Conference and Exhibit.2001, OFC2001, vol.2, 2001)に詳細に説明されている。
【００４１】
次に、第１の実施形態における自動分散補償型光リンクシステムについて説明する。
＜第１の実施形態における光送信装置１の第１の構成例＞
図２は、光送信装置１の第１の構成例を示す。図において、光送信装置１は、連続光を出力する連続光光源１１と、連続光をデュオバイナリ信号で強度及び位相変調して光デュオバイナリ信号を生成するプッシュプル型マッハツェンダ光変調器１２と、光デュオバイナリ信号にクロック信号を用いて交番した位相差を加えてＲＺ符号化し、ＤＣＳ−ＲＺ光信号に変換するプッシュプル型マッハツェンダ光変調器１３により構成される。
【００４２】
連続光光源１１は、例えばＤＦＢレーザを用いる。プッシュプル型マッハツェンダ光変調器１２，１３は、リチウムナイオベイト（ＬＮ）基板または半導体基板上に形成したマッハツェンダ干渉計型の光強度変調器であり、その２つのアームにそれぞれ変調のための電極を備え、両者を相補的に駆動することによりチャープフリーに変調できるものである。なお、Ｘ-cut構造のものを採用すれば、単一電極でもチャープフリー変調の実現は可能である。
【００４３】
光送信装置１の動作について説明する。プッシュプル型マッハツェンダ光変調器１２の各電極に、２値のバイナリ信号から変換された３値のデュオバイナリ信号を相補的に入力してプッシュプル駆動すると、連続光光源１１から出力された連続光が強度及び位相変調され、通常のＮＲＺ符号に比較して約半分の帯域をもつ光デュオバイナリ信号が生成される。
【００４４】
この光デュオバイナリ信号をプッシュプル型マッハツェンダ光変調器１３に入力し、同期したクロック信号でプッシュプル駆動して変調する。このとき、動作点を無変調時の透過率が最小の電圧とし、駆動するクロック信号の周波数を前段で生成された光デュオバイナリ信号のビットレートＮbit/s の半分（Ｎ／２Hz）とする。これにより、プッシュプル型マッハツェンダ光変調器１３は、交番位相ＲＺ化する機能を備えたゲート特性をもち、ＤＣＳ−ＲＺ光信号が生成される。
【００４５】
この様子を図４に模式的に示す。図４(a) は前段のプッシュプル型マッハツェンダ光変調器１２から出力される光デュオバイナリ信号であり、この光デュオバイナリ信号の位相に合わせて、図４(b) に示すようにプッシュプル型マッハツェンダ光変調器１３のプッシュプル駆動のゲート位相を設定する。この操作により、図４(c) に示すビット間位相差をもつＲＺ符号化光信号が得られる。これがＤＣＳ−ＲＺ光信号の波形であり、図４(d) に示すように光スペクトルはキャリア成分が抑圧され、周波数差Ｎの２つの光デュオバイナリ成分を有する光スペクトルとなる。
【００４６】
なお、後段のプッシュプル型マッハツェンダ光変調器１３を駆動するクロック信号の周波数は、前段で生成された光デュオバイナリ信号のビットレートＮbit/s に対して一般的にｍＮ／２Hz（ｍは正の整数）としてもよい。例えばｍ＝２の場合には、ＤＣＳ−ＲＺ光信号の２つの光デュオバイナリ成分の周波数差は２倍（２ＮHz）となる。
【００４７】
＜第１の実施形態における光送信装置１の第２の構成例＞
図３は、光送信装置１の第２の構成例を示す。図において、光送信装置１は、連続光光源１１から出力される連続光をプッシュプル型マッハツェンダ光変調器１３に入力してクロック信号で変調して交番位相ＲＺ符号化を行い、生成されるキャリア抑圧クロック信号をデュオバイナリ信号で変調するプッシュプル型マッハツェンダ光変調器１２に入力する構成である。すなわち、前段のプッシュプル型マッハツェンダ光変調器１３をクロック信号（周波数Ｎ／２）でプッシュプル駆動し、後段のプッシュプル型マッハツェンダ光変調器１２をデュオバイナリ信号（ビットレートＮ）でプッシュプル駆動することにより、ＤＣＳ−ＲＺ光信号を生成する。
【００４８】
＜第１の実施形態における光送信装置１の第３の構成例＞
図２および図３に示すプッシュプル型マッハツェンダ光変調器１２をプッシュプル駆動する信号はデュオバイナリ信号に限らず、多値化したパーシャルレスポンス符号、または２値ＮＲＺ符号、またはプッシュプル型マッハツェンダ光変調器１３を駆動するクロック信号とは独立した周波数のクロック信号を用いてもよい。その場合に光送信装置１から出力される光信号は、キャリア抑圧ＲＺ符号化光信号またはキャリア抑圧クロック信号となり、光受信装置２では２つのパーシャルレスポンス符号成分、または２値ＮＲＺ符号成分またはクロック信号を帯域分割して受信することになる。
【００４９】
＜第１の実施形態における光送信装置１の第４の構成例＞
図５は、光送信装置１の第４の構成例を示す。ここでは、図２に示す第１の構成例に対応する例を示すが、図３に示す第２の構成例の場合も同様である。
【００５０】
図５(a) において、連続光光源１１は、外部から供給されるトーン信号により連続光に微小な強度変調を重畳できる構成のものを用いる。その場合には、光受信装置２でＤＣＳ−ＲＺ光信号を帯域分割して受信し、トーン信号を抽出してその位相状態を検出する。
【００５１】
また、連続光光源１１をトーン信号で直接変調する代わりに、電界吸収型光変調器やＬＮ光変調器を用いた外部変調構成としてもよい。
【００５２】
さらに、図５(b) に示すように、プッシュプル型マッハツェンダ光変調器１２を駆動するデュオバイナリ信号、２値ＮＲＺ信号、クロック信号にトーン信号を重畳し、光受信装置２で同様にトーン信号を抽出する構成としてもよい。
【００５３】
＜第１の実施形態における光受信装置２の第１の構成例＞
図６は、光受信装置２の第１の構成例を示す。図において、光受信装置２は、伝送されたＤＣＳ−ＲＺ光信号のスペクトル成分中の２つのＳＳＢ成分（ＵＳＢ成分、ＬＳＢ成分）を分離する帯域分割手段２１と、ＵＳＢ成分およびＬＳＢ成分をそれぞれ直接検波してクロック信号成分を抽出する光受信器２２−１，２２−２と、各クロック信号成分の相対位相差を検出する位相比較器２３と、この相対位相差を波長分散制御情報としてフィードバック入力して光伝送路３の波長分散補償を行う可変分散補償器２４により構成される。
【００５４】
帯域分割手段２１は、光分岐器とＵＳＢ，ＬＳＢ成分をそれぞれ分離する２つの光帯域通過型フィルタ、光ファイバまたは光導波路上に形成されたマッハツェンダ干渉計型の光フィルタ、アレイ導波路回折格子型フィルタ（ＡＷＧ）などを用いる。光受信器２２は、光電変換機能と信号再生機能を有し、タイミング抽出回路で抽出されたクロック信号を出力する構成である。位相比較器２３は、光受信器２２−１，２２−２の各タイミング抽出回路から出力された２つのクロック信号成分の位相差に応じた電圧を出力するミキサを用いた構成、あるいはＡＤコンバータ等を介して波形サンプリングを行って位相差を求める構成である。
【００５５】
可変分散補償器２４は、波長分散制御情報に基づいてその分散量を変化させる構成であり、例えばＡＷＧを用いた構成（Hirano.A. et al.,"640Gbit/s (16 channel/spl times/42.7Gbit/s) WDM L-band DSF transmission experiment using 25nm bandwidth AWG dispersion slope compensator", Electronics Letters, vol.36, no.19, pp.1638-1639, 2000 ）、ＶＩＰＡ（Shirasaki.M. et al.,"Variable dispersion compensator using the virtually imaged phased array (VIPA) for 40-Gbit/s WDM transmission systems", ECOC2000 PDP)、可変ファイバグレーティング（Ohn.M.M. et al.,"Dispersion variable fiber Bragg grating using a piezoelectric stack", Electronics Letters, vol.32, no.21, pp.2000-2001, 1996)などを用いることができる。
【００５６】
光受信装置２の動作について、図７を参照して説明する。光送信装置１から出力されるＤＣＳ−ＲＺ光信号の光スペクトルは、２つのＵＳＢ，ＬＳＢ成分がビットレートＮに対応した周波数だけ離れたものとなる（図７(a))。光伝送路３を伝送されたＤＣＳ−ＲＺ光信号は、光受信装置２の帯域分割手段２１に入力され、ＵＳＢ，ＬＳＢ成分がそれぞれが選択される（図７(b))。これらのＵＳＢ，ＬＳＢ成分は、光受信器２２−１，２２−２でそれぞれ自乗検波され（図７(c))、タイミング抽出回路でクロック信号が抽出出力される（図７(d))。位相比較器２３は、２つのＵＳＢ，ＬＳＢ成分に対応するクロック信号の相対位相差Δφを求め、波長分散制御情報として可変分散補償器２４へフィードバックする。可変分散補償器２４は、波長分散制御情報に基づいてその分散量を変化させ、光伝送路３の波長分散値と合わせた総波長分散値が受信の際の最適値になるように制御することにより、光伝送路３の波長分散の影響を最小限に抑えて良好で安定した伝送品質を保つことができる。
【００５７】
なお、ここでは光受信器のタイミング抽出回路でクロック信号を抽出して相対位相差を求める構成を示したが、位相比較器２３として上記のＡＤコンバータ等を介して波形サンプリングを行って位相差を求める構成のものを用いれば、必ずしもクロック信号を抽出する必要がなく、ディジタル信号の波形そのものの時間遅延から必要な波長分散制御情報を得ることが可能である。
【００５８】
また、図５に示したように、光送信装置１でトーン信号を重畳して伝送する場合には、光受信器２２−１，２２−２で自乗検波後にバンドパスフィルタでトーン信号を分離し、位相比較器２３では２つのトーン信号の相対位相差を検出する構成としてもよい。
【００５９】
＜第１の実施形態における光受信装置２の第２の構成例＞
図８は、光受信装置２の第２の構成例を示す。図において、光受信装置２は、伝送されたＤＣＳ−ＲＺ光信号を２分岐する光分岐器２５と、その一方から１つのＳＳＢ成分（ＵＳＢ成分またはＬＳＢ成分）を分離する光フィルタ２６と、ＤＣＳ−ＲＺ光信号と分離されたＳＳＢ成分をそれぞれ直接検波してクロック信号成分を抽出する光受信器２２−１，２２−２と、各クロック信号成分の相対位相差を検出する位相比較器２３と、この相対位相差を波長分散制御情報としてフィードバック入力して光伝送路３の波長分散補償を行う可変分散補償器２４により構成される。
【００６０】
本構成例の特徴は、光受信器２２−１でＤＣＳ−ＲＺ光信号を直接受信し、ＤＣＳ−ＲＺ光信号から抽出したクロック信号成分と、そのＵＳＢ成分またはＬＳＢ成分から抽出したクロック信号成分の相対位相差を求めるところにある。ＤＣＳ−ＲＺ光信号からクロック信号成分を抽出する場合には、クロック信号成分は２つのＳＳＢ成分のビートにより発生するので、波長分散に伴う位相ずれを起こさない。すなわち、非常に安定した位相のリファレンスとして使用でき、測定される波長分散制御情報の信頼性向上につながる。
【００６１】
＜第１の実施形態における光受信装置２の第３の構成例＞
図９は、光受信装置２の第３の構成例を示す。図において、光受信装置２は、伝送されたＤＣＳ−ＲＺ光信号から１つのＳＳＢ成分（ＵＳＢ成分またはＬＳＢ成分）を分離する光フィルタ２６と、そのＳＳＢ成分を直接検波してクロック信号成分を抽出する光受信器２２と、このクロック信号成分と予め基準分散値において測定しておいた位相状態との相対位相差を検出する位相比較器２７と、この相対位相差を波長分散制御情報としてフィードバック入力して光伝送路３の波長分散補償を行う可変分散補償器２４により構成される。
【００６２】
本構成例の特徴は、光フィルタ２６、光受信器２２および位相比較器２７で、予め基準分散値においてクロック信号成分の位相状態を測定して記憶し、次に測定対象の光伝送路を介して伝送されたＤＣＳ−ＲＺ光信号のクロック信号成分との相対位相差を検出するところにある。これにより、光受信装置２の構成を簡単にすることができる。
【００６３】
＜第１の実施形態における光受信装置２の第４の構成例＞
図１０は、光受信装置２の第４の構成例を示す。図において、光受信装置２は、伝送されたＤＣＳ−ＲＺ光信号とその１つのＳＳＢ成分（ＵＳＢ成分またはＬＳＢ成分）を交互に分離する帯域可変光フィルタ２８と、順次分離されたＤＣＳ−ＲＺ光信号および１つのＳＳＢ成分を直接検波してクロック信号成分を抽出する光受信器２２と、順次抽出された各クロック信号成分の相対位相差を検出する位相比較器２９と、この相対位相差を波長分散制御情報としてフィードバック入力して光伝送路３の波長分散補償を行う可変分散補償器２４により構成される。
【００６４】
本構成例の特徴は、帯域可変光フィルタ２８、光受信器２２および位相比較器２９で、まずＤＣＳ−ＲＺ光信号を受信してクロック信号成分を検出し、次に例えばＵＳＢ成分を受信してクロック信号成分を検出し、各クロック信号成分の相対位相差を検出するところにある。これにより、光受信装置２の構成を簡単にすることができる。
【００６５】
なお、以上示した各光受信装置２の位相比較器２３，２７，２９では、光受信器２２で抽出されたクロック信号を用いて位相比較を行っているが、上記のＡＤコンバータ等により受信波形をディジタル化し、その波形そのものの時間遅延から波長分散制御情報を得るようにしてもよい。
【００６６】
また、光送信装置１でトーン信号を重畳して伝送する場合には、位相比較器では２つのトーン信号の相対位相差を検出する構成としてもよい。このトーン信号は、主信号のビットレートとは独立に周波数を設定することができるので、トーン信号の周波数を変化させることにより、２つのトーン信号の相対位相差の検出感度および範囲、すなわち光伝送路３の波長分散値の検出感度および範囲をフレキシブルに変更することができる。
【００６７】
また、以上示した各光受信装置２では、受信側で分散補償を行う構成になっているが、可変分散補償器２４を送信側に配置し、監視信号回線等を利用して光受信装置２で検出した波長分散制御情報を送信側に伝達する構成としてもよい。
【００６８】
次に、第２の実施形態における自動分散補償型光リンクシステムについて説明する。
＜第２の実施形態における自動分散補償型光リンクシステムの第１の構成例＞
図１１は、自動分散補償型光リンクシステムの第１の構成例を示す。この図に示す自動分散補償型光リンクシステムは、安定した連続光を発生するＤＦＢ−ＬＤ（ＤＦＢレーザダイオード）１１と、マッハツェンダ光変調器１２と、光増幅器１４と、光信号を伝搬させる光伝送路３と、光伝送路３の損失により減衰した光を増幅する光増幅器３１と、光伝送路３における群速度分散を補償する可変分散補償器２４と、ＮＲＺまたはＲＺ光信号のＶＳＢの高周波成分及び低周波成分をそれぞれ切り出す光フィルタ２６−１、２６−２と、トーン信号により分散測定する際において、光フィルタ２６−１，２６−２によってそれぞれ切り出された光信号を自乗検波し、この検波信号よりトーン信号を分離するバンドパスフィルタを具備する光受信器２２−１、２２−２と、光受信器２２−１、２２−２それぞれから出力されるクロック信号の、基準分散値における位相等との相対位相差を測定する位相比較器２３とから構成される。
【００６９】
次に、本構成例の動作を説明する。本構成例の基本動作は、第１の実施形態のシステムに準ずるが、第１の実施形態においては２つのＳＳＢ成分すなわちＵＳＢ、ＬＳＢの両方を分離してそれぞれ受信していたのに対して、本構成例の動作における特徴は、ＮＲＺあるいはＲＺ光信号のＶＳＢ成分の片方ずつを光フィルタ２６−１、２６−２により選択して受信し、それらの間の相対位相差により波長分散を検出する構成を採ることである。本構成例によれば、キャリア抑圧手段を必要としない通常のＮＲＺやＲＺ光信号に対しても適用できるため、安価に高精度な分散測定を実現できる。
【００７０】
＜第２の実施形態における自動分散補償型光リンクシステムの第２の構成例＞
図１２は、自動分散補償型光リンクシステムの第２の構成例を示す。この図に示す自動分散補償型光リンクシステムは、ＤＦＢ−ＬＤ１１、マッハツェンダ光変調器１２、光増幅器１４等により構成され、それぞれ異なるｎ（ｎは自然数）種類の光波長を持つ複数の光送信器１と、これら光送信器１より発生する光信号を波長多重する光合波手段１５と、光信号を伝搬させる光伝送路３と、伝送した波長多重信号をそれぞれ波長ごとに分離する光分波手段３３と、光伝送路３の損失により減衰した光を増幅する複数の光増幅器３１−１〜３１−ｎと、光伝送路３における群速度分散を補償する複数の可変分散補償器２４−１〜２４−ｎと、これら光信号からその一部の光を分岐する複数の光分岐３９−１〜３９−ｎと、分岐された複数の光信号から任意の１チャネルを選択する機能を持つ光ＳＷ回路３６と、キャリア抑圧ＲＺ光信号の二つのＳＳＢ成分を切り出す、あるいはＮＲＺまたはＲＺ光信号のＶＳＢ成分の片方ずつをそれぞれ切り出す光フィルタ２６−１、２６−２と、トーン信号により分散測定する際において、光フィルタ２６−１，２６−２によってそれぞれ切り出された光信号を自乗検波し、この検波信号よりトーン信号を分離するバンドパスフィルタを具備する光受信器２２−１、２２−２と、光受信器２２−１、２２−２それぞれから出力されるクロック信号の、基準分散値における位相等との相対位相差を測定する位相比較器２３と、位相比較器２３より得られた位相変化量情報に基づいて波長分散値を計算し、可変分散補償器２４−１〜２４−ｎにこれを補償する分散値を取るよう制御する制御回路３７とから構成される。
【００７１】
光合波手段１５、光分波手段３３には、アレイ導波路型回折格子等を用いることができる。光フィルタ２６−１、２６−２には、アレイ導波路型回折格子やマッハツェンダ干渉計型光フィルタを用いることができる。本構成例においては、光フィルタ２６−１、２６−２に周期的透過率特性を持つ光フィルタを用い、その繰返し周期が光分波手段３３の繰返し周期、すなわち波長間隔の整数分の１のものを用いるのが望ましい。
【００７２】
次に、本構成例の動作を説明する。本構成例の基本動作は、第１の実施形態のシステムに準ずるが、第１の実施形態においては一つの波長の光信号のみを考慮していたが、本構成例では複数の波長チャネルを持つ波長多重システムに対して適用している。本構成例によれば、各波長チャネルの波長分散量をそれぞれ個別に測定できるため、それぞれ個別に最適となる波長分散量に補償することができる。またその際に用いる検出回路は１つでよいため、安価に安定なリンクシステムを構築することができる。また、光フィルタ２６−１、２６−２に波長間隔と等しい周期を持つマッハツェンダ干渉計型光フィルタ等を用いると、各チャネルの光信号はそれぞれＵＳＢおよびＬＳＢ成分に同時に分離することができる。
【００７３】
＜第２の実施形態における自動分散補償型光リンクシステムの第３の構成例＞
図１３は、自動分散補償型光リンクシステムの第３の構成例を示す。この図に示す自動分散補償型光リンクシステムは、安定した連続光を発生するＤＦＢ−ＬＤ、マッハツェンダー光変調器、光増幅器等により構成され、それぞれ異なる光波長を持つ複数の光送信装置１、これら光送信装置１より発生する光信号を波長多重する光合波手段１５、光信号を伝搬させる光伝送路３、光伝送路３にラマン利得を持たせるための励起光源１６、励起光源光を光伝送路３に入射するための光合波器１７、伝送した波長多重信号をそれぞれ波長ごとに分離する光分波手段３３、光伝送路３の損失により減衰した光を増幅する複数の光増幅器３１−１〜３１−ｎ、光伝送路３における群速度分散を補償する可変分散補償器２４−１〜２４−ｎ、これら光信号からその一部の光を分岐する複数の光分岐３９−１〜３９−ｎ、分岐された複数の光信号から任意の１チャネルを選択する機能を持つ光ＳＷ回路３６、キャリア抑圧ＲＺ光信号の二つのＳＳＢ成分を切り出す、あるいはＮＲＺまたはＲＺ光信号のＶＳＢ成分の片方づつをそれぞれ切り出す光フィルタ２６−１，２６−２、切り出された光信号を自乗検波し、トーン信号により分散測定する際において、光フィルタ２６−１，２６−２によってそれぞれ切り出された光信号を自乗検波し、この検波信号よりトーン信号を分離するバンドパスフィルタを具備する光受信器２２−１、２２−２と、光受信器２２−１、２２−２それぞれから出力されるクロック信号の、基準分散値における位相等との相対位相差を測定する位相比較器２３と、位相比較器２３より得られた位相変化量情報に基づいて波長分散値を計算し、可変分散補償器２４−１〜２４−ｎにこれを補償する分散値を取るよう制御する制御回路３７とから構成される。
【００７４】
本構成例は、トーン信号を重畳する手段を、ラマン利得を得るための励起光源１６とトーン信号により強度変調することで実現するものである。本構成を用いることにより、各光送信装置１へ個別に変調するための手段を、１つの励起光源１６を変調することにより実現するため、より低コストでかつ簡易な構成で実現できる。この構成においては、励起光源１６より励起光を注入する側の光伝送路３部分によりラマン利得の大きな光ファイバを用いることで、変調の効率を上げることができることは言うまでも無い。これには通常の分散補償ファイバ等が利用できる。
【００７５】
＜第２の実施形態における自動分散補償型光リンクシステムの第４の構成例＞
図１４は、自動分散補償型光リンクシステムの第４の構成例を示す。この図に示す自動分散補償型光リンクシステムは、ＤＦＢ−ＬＤ１１、マッハツェンダ光変調器１２、光増幅器１４等により構成され、それぞれ異なる光波長を持つ複数の光送信器１と、これら光送信器１より発生する光信号を波長多重する光合波手段１５と、光信号を伝搬させる光伝送路３と、光伝送路３における群速度分散を分散スロープを含めて補償する可変分散補償器２４と、伝送した波長多重信号をそれぞれ波長ごとに分離する光分波手段３３と、光伝送路３の損失により減衰した光を増幅する複数の光増幅器３１−１〜３１−ｎと、これら光信号からその一部の光を分岐する複数の光分岐３９−１〜３９−ｎと、分岐された複数の光信号から任意の１チャネルを選択する機能を持つ光ＳＷ回路３６と、キャリア抑圧ＲＺ光信号の二つのＳＳＢ成分を切り出す、あるいはＮＲＺまたはＲＺ光信号のＶＳＢ成分の片方づつをそれぞれ切り出す光フィルタ２６−１、２６−２と、トーン信号により分散測定する際において、光フィルタ２６−１，２６−２によってそれぞれ切り出された光信号を自乗検波し、この検波信号よりトーン信号を分離するバンドパスフィルタを具備する光受信器２２−１、２２−２と、光受信器２２−１、２２−２それぞれから出力されるクロック信号の、基準分散値における位相等との相対位相差を測定する位相比較器２３と、位相比較器２３より得られた位相変化量情報に基づいて波長分散値を計算し、可変分散補償器２４−１〜２４−ｎにこれを補償する分散値を取るよう制御する制御回路３７とから構成される。
【００７６】
次に、本構成例の動作を説明する。本構成例の基本動作は、第２の実施形態における第２のシステム構成例に準ずるが、第２の実施形態における第２のシステム構成例においては、群速度分散を各波長チャネル毎に個別に補償していたのに対して、本構成では複数の波長チャネルを、分散スロープを含めてまとめて補償できる可変分散補償器２４を備えることである。一括して複数の波長チャネルを補償できるため、可変分散補償器２４の必要数を削減でき、より安価なシステムを提供することができる。
【００７７】
次に、第３の実施形態における自動分散補償型光リンクシステムについて説明する。
＜第３の実施形態における自動分散補償型光リンクシステムの第１の構成例＞
図１５は、自動分散補償型光リンクシステムの第１の構成例を示す。この図において光送信装置１は、キャリア抑圧手段と２値ＮＲＺ符号またはパーシャルレスポンス符号を用いて生成されたキャリア抑圧ＲＺ符号化光信号を送信する。光伝送路３を介して伝送されたキャリア抑圧ＲＺ符号化光信号は光分岐４２によって光分岐され、一方は光受信器４３に入力され、もう一方は帯域分割手段４４に入力される。帯域分割手段４４によって２値ＮＲＺ符号またはパーシャルレスポンス符号を取り出した後、光電変換器４５−１、４５−２によって光電気変換を行いベースバンドに変換する。続いて、バンド抽出手段４６−１、４６−２において、変換されたベースバンドから任意の中心周波数を持つバンドを取り出し、位相比較手段４７によって位相情報から算出される波長分散値に基づいて波長分散補償手段４１を変化させ、波長分散を補償する。
なお、光伝送路３には、送信端、受信端、あるいはその中間に光受信器で十分なＳＮ比を確保するための十分な光パワーが得られるように光増幅器を配置してもよい。
【００７８】
以下の説明では、デュオバイナリ符号から生成されたキャリア抑圧ＲＺ符号化光信号（以下、ＤＣＳ−ＲＺ光信号という）を用いて説明するが、２値ＮＲＺ信号を用いたキャリア抑圧ＲＺ符号化光信号（ＤＣＳ−ＲＺ光信号）、多値のパーシャルレスポンス符号を用いる場合も同様である。ＣＳ−ＲＺ光信号については、文献（Y. Miyamoto et. al., "320-Gbit/s (8x40Gbit/s) WDM transmission over 367-km zero-dispersion-flattened line with 120-km repeater spacing using carrier-suppressed return-to-zero pulse format", Tech. Dig. OAA '99, PDP4, 1999）に、ＤＣＳ−ＲＺ光信号については、文献（Y. Miyamoto et. al., "Duobinary carrier suppressed return-to-zero format and its application to 100GHz-spaced 8x43Gbit/s DWDM unrepeatered transmission over 163km", Tech. Dig. OFC2001, Vol. 2, 2001）に詳細に説明されている。
【００７９】
ＤＣＳ−ＲＺ信号の光スペクトルは、図２５に示すようにキャリア成分が抑圧された周波数差Ｎ（ビットレート）の２つの光デュオバイナリ成分（ＵＳＢ及びＬＳＢ）を有する光スペクトルとなる。帯域分割手段４４は、ＵＳＢ及びＬＳＢ成分をそれぞれ分割する２つの光帯域通過型フィルタ、光ファイバまたは光導波路上に形成されたマッハツェンダ干渉計型光フィルタ、アレイ導波路回折格子型フィルタなどを用いる。また、位相比較手段４７は、バンド抽出手段４６−１、４６−２から出力された２つのクロック信号の位相差に応じた電圧を出力するミキサを用いた構成、あるいはＡ／Ｄコンバータなどを介して波形サンプリングを行って位相差を求める構成を用いる。また、波長分散補償手段４１は、波長分散制御情報に基づいてその波長分散値を変化させる構成であり、例えば、ＡＷＧを用いた構成、Virtually Imaged Phased Array（ＶＩＰＡ）を用いた構成、可変ファイバグレーティングを用いた構成などがある。
【００８０】
次に、図２５を参照して図１５に示すシステムの動作を説明する。光送信装置１から光伝送路３を介して伝送されたＤＣＳ−ＲＺ信号（図２５（ａ））を帯域分割手段４４によってＵＳＢ及びＬＳＢ成分に分割する（図２５（ｂ））。そして、それぞれの成分を光電変換によってベースバンドに変換する。次に、ＵＳＢ及びＬＳＢ成分から変換されたベースバンドから、バンド抽出手段４６−１、４６−２によって任意の中心周波数成分（図２５ではｆ１及びｆ２）を抽出し（図２５（ｃ））、クロック信号を生成する（図２５（ｄ））。位相比較手段４７はＵＳＢ及びＬＳＢ成分から生成されたクロック信号の相対位相差Δφを求め（図２５（ｅ））、求めた結果から波長分散補償手段４１を制御する。
【００８１】
この動作によって検出できる波長分散値の範囲は、相対位相差を求めるクロック信号の繰り返し周波数に反比例する（図２６）。低い繰り返し周波数（ｆ１）のクロック信号を用いた位相検出は、高い繰り返し周波数（ｆ２）のクロック信号を用いた場合と比較して検出可能な相対位相差が拡大し、検出可能な分散値は増大する。一方、相対位相差の繰り返し周期に対する変化量は、繰り返し周波数に比例するため、分解能は低下する。
本構成例では、任意の中心周波数を持つクロック信号を抽出することができるため、システム導入時等の幅広い波長分散の補償にも、システム運用時の精密な波長分散の補償にも適用することができる。
【００８２】
＜第３の実施形態における自動分散補償型光リンクシステムの第２の構成例＞
図１６は、自動分散補償型光リンクシステムの第２の構成例を示す。本構成例は帯域分割手段４４で分割したＵＳＢ成分及びＬＳＢ成分を光学ＳＷ（スイッチ）４８を用いて、所望の中心周波数を有するＢＰＦ（バンドパスフィルタ）４６１〜４６ｎを通過した２つの信号の位相を位相比較器４７１で比較し、ＬＰＦ（ローパスフィルタ）４９−１を通して制御回路５０に対して出力する構成としたものである。光学ＳＷ４８は、機械的に光導波路を切り替えるものでも、ＭＥＭＳを用いたものでも、音響光学（ＡＯ）を用いたものでも、熱光学（ＴＯ）を用いたものでもよい。また、ＢＰＦ４６１〜４６ｎは、誘電体フィルタでも、導波管フィルタでもよい。
このような構成を実現することによってそれぞれのＢＰＦ４６１〜４６ｎの中心周波数に相当する動作周波数を有する光電変換器４５−１〜４５−ｎ、位相比較器４７１〜４７ｎを用いればよく、安価な構成で実現することができる。
【００８３】
＜第３の実施形態における自動分散補償型光リンクシステムの第３の構成例＞
図１７は、自動分散補償型光リンクシステムの第３の構成例を示す。本構成例例は帯域分割手段４４で分割したＵＳＢ成分及びＬＳＢ成分を光電変換器４５−１、４５−２でベースバンドに変換した後、電気ＳＷ（スイッチ）５１を用いて、所望の中心周波数を有するＢＰＦ（バンドパスフィルタ）４６１〜４６ｎを通過した２つの信号の位相を位相比較器４７１で比較し、ＬＰＦ（ローパスフィルタ）４９−１を通して制御回路５０に対して出力する構成としたものである。電気ＳＷ５１は、機械的に同軸を切り替えるものでもよいし、デジタルＩＣを用いたものでもよい。
このような構成を実現することによって、光電変換器４５−１、４５−２を共有することができる。また、電気部品の集積化を行うことができ、装置の小型化、安定化を実現することができる。
【００８４】
＜第３の実施形態における自動分散補償型光リンクシステムの第４の構成例＞
図１８は、自動分散補償型光リンクシステムの第４の構成例を示す。本構成例は、所望の繰り返し周波数を有するクロック信号を生成するために、所望の中心周波数に調整することができる可変ＢＰＦ５２−１、５２−２を備えたものである。
このような構成を実現することによって、コンポーネントを共有することができるため、装置の小型化、安定化を実現することができる。また、任意の繰り返し周波数を有するクロック信号を用いて波長分散値を検出することができる。
また、繰り返し周波数を変化させて、相対位相差を検出する場合、各繰り返し周波数に対して初期値を設定するために、可変遅延器５１−１、５１−２を用いて繰り返し周波数に対応した遅延を与える必要がある。
一方、可変遅延器５１−１、５１−２を不要にするためには、例えば以下の方法がある。まず初めに、導入するリンクシステムにおいて規格外となる波長分散値を検出できる繰り返し周波数（Ｆ）から、その繰り返し周波数に対応した遅延を与える。分散値の検出分解能を向上させるために、周波数（Ｆ）の２ｎ＋１倍（ｎ：整数）の繰り返し周波数を有するクロック信号を用いて相対位相差を検出する。上記の繰り返し周波数を選択することで、初期に与えた遅延を変更することなく、初期値を設定でき、方向も含めて相対位相差を正しく検出することができる。そのため可変遅延器５１−１、５１−２を省略することができ、装置の小型化を実現することができる。
【００８５】
次に、第４の実施形態における自動分散補償型光リンクシステムについて説明する。
＜第４の実施形態における自動分散補償型光リンクシステムの第１の構成例＞
図１９は、自動分散補償型光リンクシステムの第１の構成例を示す。この図において第３の実施形態における第１の構成例（図１５）と異なる点は、任意の繰り返し周波数を有するクロック信号を生成する手段として光帯域抽出手段５３−１、５３−２を用いることにある。
次に、図２７を参照して図１９に示すシステムの動作を説明する。光送信装置１から光伝送路３介して伝送されたＤＣＳ−ＲＺ信号を帯域分割手段４４によってＵＳＢ成分及びＬＳＢ成分に分割する（図２７（ａ））。分割したＵＳＢ成分及びＬＳＢ成分から、光帯域抽出手段５３−１、５３−２によってそれぞれＵＳＢ及びＬＳＢのキャリアと任意の中心波長成分を抽出する（図２７（ｂ））。ＵＳＢのキャリアと任意の中心波長成分、ＬＳＢのキャリアと任意の中心波長成分それぞれを光電変換手段に入力するとキャリアと任意の中心波長の光周波数差（図２７ではｆ１及びｆ２）に応じたビート信号に変換され（図２７（ｃ））、その光周波数差を繰り返し周波数とするクロック信号が生成される（図２７（ｄ））。位相比較手段はＵＳＢ及びＬＳＢ成分から生成されたクロック信号の相対位相差Δφを求め（図２７（ｅ））、求めた結果から波長分散補償手段を制御する。  本構成例では、任意の中心波長成分を抽出することができるため、システム導入時等の幅広い波長分散の補償にも、システム運用時の精密な波長分散の補償にも適用することができる。また、光帯域抽出手段５３−１、５３−２を用いることにより、より高速の光信号に対しても同じ構成が適用でき、つまり帯域抽出手段に関してビットレートフレキシブルにでき、更なる高速化を目指した場合、バンドパスフィルタの高周波部品を削減できる利点がある。
【００８６】
＜第４の実施形態における自動分散補償型光リンクシステムの第２の構成例＞
図２０は、自動分散補償型光リンクシステムの第２の構成例を示す。本構成例は帯域分割手段４４で分割したＵＳＢ成分及びＬＳＢ成分を光学ＳＷ（スイッチ）４８を用いて、所望の中心波長を有する光帯域を抽出するＯＢＰＦ（光バンドパスフィルタ）５３１〜５３ｎを通過した光信号を光電変換器４５−１、４５−２によって光電気変換をして、この２つの電気信号の位相を位相比較器４７１で比較し、その出力をＬＰＦ４９−１を通して制御回路５０へ出力するようにしたものである。ＯＢＰＦ５３１〜５３ｎは、誘電体多層膜フィルタでも、ファイバグレーティングフィルタでも、光ファイバまたは光導波路上に形成されたマッハツェンダ干渉計型光フィルタ、アレイ導波路回折格子型フィルタでもよい。
このような構成を実現することによって、光電変換器４５−１〜４５−ｎ及び位相比較器４７１〜４７ｎは、それぞれのＯＢＰＦ５３１〜５３ｎの中心波長とＵＳＢ成分またはＬＳＢ成分のキャリアとの光周波数差に相当する動作周波数を有すればよく、安価な構成で実現することができる。
【００８７】
＜第４の実施形態における自動分散補償型光リンクシステムの第３の構成例＞
図２１は、自動分散補償型光リンクシステムの第３の構成例を示す。本構成例は帯域分割手段４４で分割したＵＳＢ成分及びＬＳＢ成分は、光学ＳＷ４８−１を用いて所望の中心波長を有する光帯域を抽出するＯＢＰＦ５３１〜５３ｎに入力されて所望の中心波長を有する光帯域が抽出された後、再び光学ＳＷ４８−２を用いて、光電変換器４５−１、４５−２にそれぞれ入力させて光電変換した２つの電気信号の位相を位相比較器４７１で比較し、その出力をＬＰＦ４９−１を通して制御回路５０へ出力するようにしたものである。光学ＳＷ４８−１、４８−２は、機械的に光導波路を切り替えるものでも、ＭＥＭＳを用いたものでも、音響光学（ＡＯ）を用いたものでも、熱光学（ＴＯ）を用いたものでもよい。
このような構成を実現することによって、光電変換器４５−１、４５−２、位相比較器４７１を共有することができる。また、電気部品の集積化を行うことができ、装置の小型化、安定化を実現することができる。
【００８８】
＜第４の実施形態における自動分散補償型光リンクシステムの第４の構成例＞
図２２は、自動分散補償型光リンクシステムの第４の構成例を示す。本構成例は、所望の繰り返し周波数を有するクロック信号を生成するために、所望の中心波長に調整することができる可変ＯＢＰＦ５４−１、５４−２を備えたものである。
このような構成を実現することによって、コンポーネントを共有することができ、装置の小型化、安定化を実現することができる。また、任意の繰り返し周波数を有するクロック信号を用いて波長分散値を検出することができる。また、可変遅延器５１−１、５１−２を不要にするためには、例えば第３の実施形態における自動分散補償型光リンクシステムの第４の構成例で記載した方法等がある。
【００８９】
次に、第５の実施形態における自動分散補償型光リンクシステムについて説明する。
＜第５の実施形態における自動分散補償型光リンクシステムの第１の構成例＞
図２３は、自動分散補償型光リンクシステムの第１の構成例を示す。前述した第３、４の実施形態では、波長分散を帯域分割したＵＳＢ成分とＬＳＢ成分から抽出したクロック信号の相対位相差を検出して補償するのに対し、第５の実施形態は偏波モード分散を抽出したクロック信号の強度をモニタして補償する点が異なる。図２３において光送信装置１は、キャリア抑圧手段と２値ＮＲＺ符号またはパーシャルレスポンス符号を用いて生成されたキャリア抑圧ＲＺ符号化光信号を送信する。光伝送路３を介して伝送されたキャリア抑圧ＲＺ符号化光信号は光分岐４２によって分岐され、一方は光受信器４３に入力され、もう一方は帯域分割手段４４に入力される。帯域分割手段４４によって２値ＮＲＺ符号またはパーシャルレスポンス符号を取り出した後、光電変換器４５−１、４５−２によってベースバンドに変換する。変換されたベースバンドから任意の中心周波数を持つバンドを取り出し、位相情報から算出される波長分散値に基づいて波長分散補償手段４１を変化させ、波長分散を補償する。また、強度検出手段５７によって、取り出したバンドの少なくとも一方の強度をモニタし、強度が最大となるように偏波モード分散補償手段５５を変化させ、偏波モードの分散を補償する。
なお、光伝送路３には、送信端、受信端、あるいはその中間に光受信器で十分なＳＮ比を確保するための十分な光パワが得られるように光増幅器を配置してもよい。
【００９０】
また、帯域分割手段４４には、ＵＳＢ成分及びＬＳＢ成分をそれぞれ分割する２つの光帯域通過型フィルタ、光ファイバまたは光導波路上に形成されたマッハツェンダ干渉計型光フィルタ、アレイ導波路回折格子型フィルタなどを用いる。また、位相比較手段４７は、バンド抽出手段４６−１、４６−２から出力された２つのクロック信号の位相差に応じた電圧を出力するミキサを用いた構成、あるいはＡ／Ｄコンバータなどを介して波形サンプリングを行って位相差を求める構成を用いる。また、波長分散補償手段４１は、波長分散制御情報に基づいてその波長分散値を変化させる構成であり、例えば、ＡＷＧを用いた構成、Virtually Imaged Phased Array（ＶＩＰＡ）を用いた構成、可変ファイバグレーティングを用いた構成などがある。強度検出手段５７は、例えばＲＦスペクトルアナライザを用いてもよいし、ＲＦパワメータを用いてもよい。偏波モード分散補償手段５５は、強度検出手段５７によってモニタされた強度が最大となるように変化させる構成であり、例えば、固定の偏波モード分散値を与え、入力される信号の二つの主偏波状態（ＰＳＰ）のパワー比を変化させる構成、偏波ビームスプリッタ（ＰＢＳ）によって直交する偏波に分離した後、一方の偏波に光学的あるいは電気的に遅延を変化させる構成等がある。
【００９１】
本構成例によれば、波長分散補償を行うことができるのに加え、さらに、波長分散で検出するクロック信号を用いて偏波モード分散を前記波長分散と独立して補償することができる利点がある。
【００９２】
＜第５の実施形態における自動分散補償型光リンクシステムの第２の構成例＞
図２４は、自動分散補償型光リンクシステムの第２の構成例を示す。この図では、図１８に示す構成例を基本として図示しているが、第５の実施形態における構成例は前述した全ての構成例に適用することができる。
波長分散及び偏波モード分散の補償方法に関するアルゴリズムは、例えば以下のようになる。
システム導入時には、クロック信号の相対位相差を検出して波長分散を補償する。波長分散を補償した後、クロック信号の強度が最大となるように偏波モード分散を補償する。
一方、システム運用時には、クロック信号の相対位相差と強度を双方モニタし、双方とも変化した場合は波長分散を補償し、強度のみが変化した場合には偏波モード分散を補償する。このようにシステム運用時にも、伝送した信号に影響を与えることなく、波長分散と偏波モード分散を独立に補償することが可能である。
【００９３】
なお、本発明による自動分散補償型光リンクシステムは、第１、２、３の実施形態に記載した光信号以外にも、ＤＰＳＫ符号、ＱＰＳＫ符号、Ｄｕｏｂｉｎａｒｙ符号、ＢＰＳＫ符号、ＣＲＺ符号、ＣＳ−ＲＺ符号、ＤＣＳ−ＲＺ符号、ＲＺ−ＤＰＳＫ符号（T. Miyano et al., Tech. Dig. in OECC2000, paper 14D3-3, July, 2000.）、特願２００２−０４０８５５で提案しているＣＳ−ＲＺ−ＤＰＳＫ符号等の各種符号形式を用いることが可能である。
【００９４】
【発明の効果】
以上説明したように、本発明の高精度波長分散測定方法および自動分散補償型光リンクシステムは、インサービス状態のまま主信号に影響を与えることなく光伝送路の波長分散値を測定することができる。また、本発明方法およびシステムでは、主信号のビットレートにおける分散耐力に比較して十分な検出感度および精度を備えており、波長分散の影響による伝送品質の劣化を未然に検知して補償することができる。
さらに、トーン信号を用いる場合には、検出感度および範囲をフレキシブルに変更することができるので、光伝送路故障等によるルート切り替えの際に発生する波長分散値の大きなずれにも対応でき、適切な分散補償量を即座に検出して補償することができる。
これにより、光リンクシステムの安定運用および信頼性向上を実現することができる。
また、波長分散による伝送品質の劣化と偏波モード分散による伝送品質の劣化を独立に検知し、自動的に補償できる。このことは光伝送システムの信頼性向上、保守運用の簡素化を可能にする効果がある。
【図面の簡単な説明】
【図１】  本発明の自動分散補償型光リンクシステムの基本構成を示すブロック図。
【図２】  第１の実施形態における光送信装置１の第１の構成例を示すブロック図。
【図３】  第１の実施形態におけるＤＣＳ−ＲＺ光信号の生成原理を説明する図。
【図４】  第１の実施形態における光送信装置１の第２の構成例を示すブロック図。
【図５】  第１の実施形態における光送信装置１の第４の構成例を示すブロック図。
【図６】  第１の実施形態における光受信装置２の第１の構成例を示すブロック図。
【図７】  第１の実施形態における光受信装置２の動作について説明する図。
【図８】  第１の実施形態における光受信装置２の第２の構成例を示すブロック図。
【図９】  第１の実施形態における光受信装置２の第３の構成例を示すブロック図。
【図１０】  第１の実施形態における光受信装置２の第４の構成例を示すブロック図。
【図１１】  第２の実施形態における自動分散補償型光リンクシステムの第１の構成例を示すブロック図。
【図１２】  第２の実施形態における自動分散補償型光リンクシステムの第２の構成例を示すブロック図。
【図１３】  第２の実施形態における自動分散補償型光リンクシステムの第３の構成例を示すブロック図。
【図１４】  第２の実施形態における自動分散補償型光リンクシステムの第４の構成例を示すブロック図。
【図１５】  第３の実施形態における自動分散補償型光リンクシステムの第１の構成例を示すブロック図。
【図１６】  第３の実施形態における自動分散補償型光リンクシステムの第２の構成例を示すブロック図。
【図１７】  第３の実施形態における自動分散補償型光リンクシステムの第３の構成例を示すブロック図。
【図１８】  第３の実施形態における自動分散補償型光リンクシステムの第４の構成例を示すブロック図。
【図１９】  第４の実施形態における自動分散補償型光リンクシステムの第１の構成例を示すブロック図。
【図２０】  第４の実施形態における自動分散補償型光リンクシステムの第２の構成例を示すブロック図。
【図２１】  第４の実施形態における自動分散補償型光リンクシステムの第３の構成例を示すブロック図。
【図２２】  第４の実施形態における自動分散補償型光リンクシステムの第４の構成例を示すブロック図。
【図２３】  第５の実施形態における自動分散補償型光リンクシステムの第１の構成例を示すブロック図。
【図２４】  第５の実施形態における自動分散補償型光リンクシステムの第２の構成例を示すブロック図。
【図２５】  第３の実施形態における自動分散補償型光リンクシステムの第１の構成例の動作について説明する図。
【図２６】  繰り返し周波数と位相差検出範囲について説明する図。
【図２７】  第４の実施形態における自動分散補償型光リンクシステムの第１の構成例の動作について説明する図。
【図２８】  光クロック信号強度と波長分散値の関係を示す図。
【符号の説明】
１    光送信装置
１１  連続光光源
１２，１３  プッシュプル型マッハツェンダ光変調器
１４  光増幅器
１５  光合波手段
１６  励起光源
１７  光合波器
２    光受信装置
２１  帯域分割手段
２２  光受信器
２３，２７，２９  位相比較器
２４  可変分散補償器
２５  光分岐器
２６  光フィルタ
２８  帯域可変光フィルタ
３    光伝送路
３１  光増幅器
３２  光分波器
３５  受信器
３６  光ＳＷ回路
３７  制御回路
４４  帯域分割手段
４５  光電変換器
４６  バンド抽出手段
４７  位相比較手段
４８  光学ＳＷ
５０  制御回路
５５  偏波モード分散補償手段
５７  強度検出手段
【図１】
0003708503.tif 000002
【図２】
0003708503.tif 000003
【図３】
0003708503.tif 000004
【図４】
0003708503.tif 000005
【図５】
0003708503.tif 000006
【図６】
0003708503.tif 000007
【図７】
0003708503.tif 000008
【図８】
0003708503.tif 000009
【図９】
0003708503.tif 000010
【図１０】
0003708503.tif 000011
【図１１】
0003708503.tif 000012
【図１２】
0003708503.tif 000013
【図１３】
0003708503.tif 000014
【図１４】
0003708503.tif 000015
【図１５】
0003708503.tif 000016
【図１６】
0003708503.tif 000017
【図１７】
0003708503.tif 000018
【図１８】
0003708503.tif 000019
【図１９】
0003708503.tif 000020
【図２０】
0003708503.tif 000021
【図２１】
0003708503.tif 000022
【図２２】
0003708503.tif 000023
【図２３】
0003708503.tif 000024
【図２４】
0003708503.tif 000025
【図２５】
0003708503.tif 000026
【図２６】
0003708503.tif 000027
【図２７】
0003708503.tif 000028
【図２８】
0003708503.tif 000029